(57)【要約】【課題】釘打ちフィンを有していない枠体に対しても躯体との間に十分な防水性を確保する。【解決手段】躯体Ｂの外表面Ｂｄから開口部Ｈを通じて室内に延在するように設けられ、躯体Ｂの外表面Ｂｄ及び開口部Ｈの内表面Ｈａにわたる部分を覆う防水性を有した防水シート材２０と、開口部Ｈの内表面Ｈａを覆う防水シート材２０及び左右の縦枠１３の間に縦枠１３の長手に沿って設けられ、上端部が上枠１１の上面１１ａに至る止水材３０と、躯体Ｂの外表面Ｂｄにおいて開口部Ｈの上縁となる部分を覆い、かつ下端部が室外に向けて突出するとともに、両端部分が縦枠１３の外周側となる見込み面１３ａに対向するように設けた上部水切り部材４０とを備えている。【選択図】図１１
2018104973.tif 000002
【特許請求の範囲】
【請求項１】
開口部を有した躯体と、前記躯体の室外に臨む外表面との間に通気層を確保した状態で前記躯体の外表面を覆うように配置される外壁材と、上枠、下枠及び左右の縦枠を有し、前記躯体の開口部に設置された枠体とを備えた建築物に適用され、前記躯体と前記枠体との間を通じた室外側から室内側への水の浸入を防止する枠体の防水構造であって、
前記躯体の外表面から前記開口部を通じて室内に延在するように設けられ、前記躯体の外表面及び前記開口部の内表面にわたる部分を覆う防水性を有した防水シート材と、
前記防水シート材及び前記左右の縦枠の間に前記縦枠の長手に沿って設けられた止水材と、
前記躯体の外表面において前記開口部の上縁となる部分に取り付けられ、前記外壁材よりも室外側に突出する上部水切り部材と
を備えていることを特徴とする枠体の防水構造。
【請求項２】
前記上部水切り部材は、両端部分がそれぞれ前記縦枠の外周側となる見込み面に当接するとともに、少なくとも一方の端部に通路構成部材を備えており、
前記通路構成部材は、一端が前記上枠の上面よりも下方となる位置において前記通気層に連通する位置に開口し、かつ他端が前記上枠の上面と前記上部水切り部材との間の空間に連通する位置に開口していることを特徴とする請求項１に記載の枠体の防水構造。
【請求項３】
前記通路構成部材は、前記躯体の外表面において前記防水シート材に当接するように前記通気層の内部に突出し、かつ室内に臨む部位に前記止水材が当接していることを特徴とする請求項２に記載の枠体の防水構造。
【請求項４】
前記上部水切り部材は、両端部分がそれぞれ前記縦枠の外周側となる見込み面に当接するとともに、前記上枠の室外側への延在端部を覆う大きさを有したものであり、
前記上枠の室外側への延在端部と前記上部水切り部材との間には、前記上部水切り部材の全長にわたる部位に上枠止水材が介在されていることを特徴とする請求項１に記載の枠体の防水構造。
【請求項５】
前記上部水切り部材の上面と前記外壁材との間には、シール材が設けられていることを特徴とする請求項４に記載の枠体の防水構造。
【請求項６】
前記シール材には、前記通気層を外部に連通させる連通口が設けられていることを特徴とする請求項５に記載の枠体の防水構造。
【請求項７】
前記上部水切り部材の上縁部から前記躯体の外表面までの間にわたって防水テープが設けられていることを特徴とする請求項１に記載の枠体の防水構造。
【発明の詳細な説明】
【技術分野】
【０００１】
本発明は、枠体の防水構造に関するものである。
【背景技術】
【０００２】
通常、枠体から釘打ちフィンと称されるヒレ状部分を外周方向に突出し、このヒレ状部分を介して躯体の外表面に釘を打つことによって枠体を保持させるようにしている。こうした取付構造では、ヒレ状部分の表面から躯体の外表面にわたって防水テープを貼り付けることにより、躯体と枠体との隙間を通じた水の浸入を防止することができるようになる（例えば、特許文献１参照）。
【先行技術文献】
【特許文献】
【０００３】
【特許文献１】特開２００２−１４７１２３号公報
【発明の概要】
【発明が解決しようとする課題】
【０００４】
ところで、釘打ちフィンを設けた枠体においては、躯体に対する枠体の見込み方向に沿った取付位置が規定されることになり、汎用性を考慮した場合、必ずしも好ましいとはいえない。躯体に対して枠体の見込み方向の取付位置を任意に設定するには、釘打ちフィンを省略することで解決することが可能である。しかしながら、上述したように、現状の枠体においては、釘打ちフィンを基準として躯体との間の防水構造が構成されている。このため、釘打ちフィンを省略した枠体を適用する場合には、新規な防水構造を提供することが必須となる。
【０００５】
本発明は、上記実情に鑑みて、釘打ちフィンを有していない枠体に対しても躯体との間に十分な防水性を確保することのできる枠体の防水構造を提供することを目的とする。
【課題を解決するための手段】
【０００６】
上記目的を達成するため、本発明に係る枠体の防水構造は、開口部を有した躯体と、前記躯体の室外に臨む外表面との間に通気層を確保した状態で前記躯体の外表面を覆うように配置される外壁材と、上枠、下枠及び左右の縦枠を有し、前記躯体の開口部に設置された枠体とを備えた建築物に適用され、前記躯体と前記枠体との間を通じた室外側から室内側への水の浸入を防止する枠体の防水構造であって、前記躯体の外表面から前記開口部を通じて室内に延在するように設けられ、前記躯体の外表面及び前記開口部の内表面にわたる部分を覆う防水性を有した防水シート材と、前記防水シート材及び前記左右の縦枠の間に前記縦枠の長手に沿って設けられた止水材と、前記躯体の外表面において前記開口部の上縁となる部分に取り付けられ、前記外壁材よりも室外側に突出する上部水切り部材とを備えていることを特徴とする。
【０００７】
この発明によれば、上部水切り部材を設けることにより、通気層を通過する水が躯体と上枠との間を経て室内側へ浸入する事態を防止することができる。躯体と縦枠との間においては、止水材を配設することにより、通気層を通過する水が室内側へ浸入する事態を防止することができる。
【０００８】
また本発明は、上述した枠体の防水構造において、前記上部水切り部材は、両端部分がそれぞれ前記縦枠の外周側となる見込み面に当接するとともに、少なくとも一方の端部に通路構成部材を備えており、前記通路構成部材は、一端が前記上枠の上面よりも下方となる位置において前記通気層に連通する位置に開口し、かつ他端が前記上枠の上面と前記上部水切り部材との間の空間に連通する位置に開口していることを特徴とする。
【０００９】
この発明によれば、枠体と開口部の内表面との間の空間において止水材よりも室内側に位置する部分と通気層とが通路構成部材によって連通され、互いの間に圧力差が生じないため、水の室内側への浸入がより確実に防止される。
【００１０】
また本発明は、上述した枠体の防水構造において、前記通路構成部材は、前記躯体の外表面において前記防水シート材に当接するように前記通気層の内部に突出し、かつ室内に臨む部位に前記止水材が当接していることを特徴とする。
【００１１】
この発明によれば、通路構成部材の室内に臨む部位が止水材及び防水シート材に当接するため、室外と室内とを連通するピンホールが生じるおそれがなく、防水性の点で有利となる。
【００１２】
また本発明は、上述した枠体の防水構造において、前記上部水切り部材は、両端部分がそれぞれ前記縦枠の外周側となる見込み面に当接するとともに、前記上枠の室外側への延在端部を覆う大きさを有したものであり、前記上枠の室外側への延在端部と前記上部水切り部材との間には、前記上部水切り部材の全長にわたる部位に上枠止水材が介在されていることを特徴とする。
【００１３】
この発明によれば、上枠の室外側への延在端部と上部水切り部材の間に上枠止水材を設けているため、これらの間を経て水が室内側に浸入する事態を防止することができる。
【００１４】
また本発明は、上述した枠体の防水構造において、前記上部水切り部材の上面と前記外壁材との間には、シール材が設けられていることを特徴とする。
【００１５】
この発明によれば、外壁材と上部水切り部材との間にシール材を設けているため、これらの間を経て通気層内に大量に水が浸入する事態を防止することができる。
【００１６】
また本発明は、上述した枠体の防水構造において、前記シール材には、前記通気層を外部に連通させる連通口が設けられていることを特徴とする。
【００１７】
この発明によれば、通気層を通過した水が連通口を介して外部に排出されるため、通気層を通過する水が上部水切り材の上面に滞留する事態を防止することができる。
【００１８】
また本発明は、上述した枠体の防水構造において、前記上部水切り部材の上縁部から前記躯体の外表面までの間にわたって防水テープが設けられていることを特徴とする。
【００１９】
この発明によれば、上部水切り部材と躯体の外表面との間を通じて水が室内側に浸入する事態を防止することができる。
【発明の効果】
【００２０】
本発明によれば、上部水切り部材を設けることにより、通気層を通過する水が躯体と上枠との間を経て室内側へ浸入する事態を防止することができる。躯体と縦枠との間においては、止水材を配設することにより、通気層を通過する水が室内側へ浸入する事態を防止することができる。これらの結果、釘打ちフィンを有していない枠体に対しても躯体との間に十分な防水性を確保することが可能となる。
【図面の簡単な説明】
【００２１】
【図１】図１は、本発明の実施の形態である枠体の防水構造を適用した建築物の要部を示す縦断面図である。
【図２】図２は、図１に示した建築物において枠体の上枠部分を拡大した縦断面図である。
【図３】図３は、図１に示した建築物において枠体の下枠部分を拡大した縦断面図である。
【図４】図４は、図１に示した建築物において枠体の縦枠部分を拡大した横断面図である。
【図５】図５は、図１に示した建築物を上枠の外周側となる見込み面に沿って破断した要部拡大横断面図である。
【図６】図６は、図５に示した建築物を室外側の斜め上方から見た要部斜視図である。
【図７】図７は、図１に示した建築物の躯体と枠体とを示す分解一部破断斜視図である。
【図８】図８は、図７の状態から躯体の開口部に枠体を配設した状態を示す一部破断斜視図である。
【図９】図９は、図８の状態から上部水切り部材を取り付ける直前の状態を示す一部破断斜視図である。
【図１０】図１０は、図９に示す状態から上部水切り部材を取り付けた後の状態を示す一部破断斜視図である。
【図１１】図１１は、図１０の状態から外壁材を配設した後の状態を示す一部破断斜視図である。
【図１２】図１２は、図１に示した建築物に適用する端部キャップを示すもので、（ａ）は上部水切り部材の端部に装着した状態の要部斜視図、（ｂ）は端部キャップ単体を斜め下方から見た斜視図である。
【発明を実施するための形態】
【００２２】
以下、添付図面を参照しながら本発明に係る枠体の防水構造の好適な実施の形態について詳細に説明する。なお、以下の説明においては便宜上、見込み方向及び見付け方向という用語を用いる。見込み方向とは、図中の矢印Ａで示すように、建具の奥行きに沿った方向である。見込み方向に沿った面については、見込み面と称する場合がある。また、見付け方向とは、後述する上枠や下枠等のように水平に沿って配置される部材の場合、見込み方向に直交した上下に沿う方向であり、縦枠等のように上下に沿って配置される部材の場合、見込み方向に直交した水平に沿う方向である。見付け方向に沿った面については、見付け面と称する場合がある。
【００２３】
図１〜図６は、本発明の実施の形態である枠体の防水構造を適用した建築物の要部を示したものである。ここで例示する建築物は、例えば木造の一般戸建て住宅であり、躯体Ｂに設けた開口部Ｈに建具の枠体１０が設置してある。枠体１０は、上枠１１、下枠１２及び左右の縦枠１３を四周枠組みすることによって矩形状に構成したものである。本実施の形態では、特に、樹脂によって成形した押し出し形材からなる上枠１１、下枠１２及び左右の縦枠１３を適用し、互いの間を留め継ぎすることによって枠体１０を構成するようにしている。すなわち、上枠１１、下枠１２及び左右の縦枠１３は、互いに同一の断面形状を有するように成形してあり、個々の端部に形成した４５°の傾斜面１４（図７参照）を相互に接合することによって枠体１０を構成している。
【００２４】
図からも明らかなように、上枠１１、下枠１２及び左右の縦枠１３は、外周側の見込み面１１ａ，１２ａ，１３ａが単純な平面状に構成してあり、従来の釘打ちフィンに相当する構成が存在していない。一方、上枠１１、下枠１２及び左右の縦枠１３の室内に臨む見付け面には、それぞれ釘ヒレ部１１ｂ，１２ｂ，１３ｂが設けてある。釘ヒレ部１１ｂ，１２ｂ，１３ｂは、枠１１，１２，１３の室内に臨む見付け面１１ｃ，１２ｃ，１３ｃから室内に向けて見込み方向に突出した板状部分であり、各枠１１，１２，１３の長手に沿った全長に設けてある。個々の釘ヒレ部１１ｂ，１２ｂ，１３ｂは、外周側の見込み面１１ａ，１２ａ，１３ａに対して平行となるように、室内に臨む見付け面１１ｃ，１２ｃ，１３ｃに対して直交する方向に沿って延在している。
【００２５】
一方、上述の枠体１０が設置される躯体Ｂの開口部Ｈは、まぐさ、窓台及び左右の柱といった構造材Ｂａによって矩形状を成すように構成されたものである。この開口部Ｈは、上枠１１及び左右の縦枠１３との間に隙間を確保した状態で枠体１０を収容することのできる寸法に形成してある。
【００２６】
図からも明らかなように、本実施の形態の躯体Ｂは、構造材Ｂａよりも室外側となる部分に断熱材Ｂｂ及び外装シート材Ｂｃを備えている。断熱材Ｂｂは、室外側から構造材Ｂａを隙間無く覆うように配置されたものである。外装シート材Ｂｃは、断熱材Ｂｂの外表面に直接設けた防水性を有する部材であり、躯体Ｂの室外に臨む表面全域に配設してある。外装シート材Ｂｃとしては、少なくとも室外側から室内側へは防水性を呈するものである必要があるが、室内側から室外側へは透湿性を有したものを適用することも可能である。
【００２７】
さらに躯体Ｂには、外装シート材Ｂｃを覆うように外壁材Ｃが設けてある。外壁材Ｃは、外装シート材Ｂｃの表面（以下、躯体Ｂの外表面Ｂｄという）との間に所定の隙間を確保した位置に設けた厚板状部材であり、躯体Ｂの外表面Ｂｄとの間に通気層Ｄを構成している。外壁材Ｃとしては、セメントボードや金属板等々、透水性を有していない適宜のものを適用することが好ましい。外壁材Ｃにおいて躯体Ｂの開口部Ｈに対応する部位には、矩形状の窓孔Ｃａが確保してある。
【００２８】
上述の建築物に対して枠体１０は、室外側に位置する延在端部が躯体Ｂの外表面Ｂｄから突出した状態で躯体Ｂの開口部Ｈに設置される。枠体１０の室外側に位置する延在端面は、外壁材Ｃの外表面Ｃｂとほぼ一致した位置に配置されている。以下、本発明の特徴部分である躯体Ｂの開口部Ｈと枠体１０との間の防水構造について、図７〜図１１を適宜参照しながら詳述する。
【００２９】
まず、躯体Ｂの外表面Ｂｄから開口部Ｈの内表面Ｈａにわたる部位には、それぞれ防水シート材２０が配設してある。防水シート材２０は、不透湿の防水性を有したもので、外壁材Ｃ及び枠体１０を設ける以前の状態で、躯体Ｂの外表面Ｂｄにおいて開口部Ｈの周囲となる部位及び開口部Ｈの内表面Ｈａにわたって隙間無く設けられる。
【００３０】
枠体１０は、躯体Ｂに防水シート材２０が施された後において開口部Ｈに設置される。さらに、それぞれの釘ヒレ部１１ｂ，１２ｂ，１３ｂを介して構造材ＢａにネジＥを螺合することにより、枠体１０が躯体Ｂに取り付けられた状態となる。このとき、下枠１２については、直接防水シート材２０の上面に載置するようにしている。一方、上枠１１及び縦枠１３に対しては、それぞれの外周側となる見込み面１１ａ，１３ａと防水シート材２０との間にスペーサＦ及び止水材３０を介在させるようにしている。
【００３１】
スペーサＦは、開口部Ｈに対して枠体１０の設置位置を規定するためのものであり、上枠１１の見込み面１１ａと防水シート材２０との間及び縦枠１３の見込み面１３ａと防水シート材２０との間の適宜位置に適宜個数設けてある。
【００３２】
止水材３０は、止水スポンジ等のように弾性及び止水性を有したもので、幅寸法３０ｗが小さい帯状に形成してある。止水材３０の板厚３０ｔは、上枠１１の見込み面１１ａと開口部Ｈに設けた防水シート材２０との間の隙間よりも大きな寸法を有するように設定してある。本実施の形態では、枠体１０の左右に個別の止水材３０を配設するようにしている。それぞれの止水材３０は、縦枠１３の延在方向に沿って上下に延在する部分３０ａと、上枠１１の延在方向に沿って延在する部分３０ｂとを有した一連のものである。縦枠１３の見込み面１３ａと開口部Ｈに設けた防水シート材２０との間に対しては、その全長にわたる部分に止水材３０の部分３０ｂを配設するようにしている。上枠１１の見込み面１１ａと開口部Ｈに設けた防水シート材２０との間に対しては、互いの延在端部の間に隙間を確保するように止水材３０の部分３０ａを配設するようにしている。止水材３０を設ける見込み方向の位置は、開口部Ｈに設けた防水シート材２０においてもっとも室外側となる部分に設定してある。すなわち、止水材３０の室外に臨む表面が、躯体Ｂの外表面Ｂｄとほぼ同じ位置となるように、枠１１，１３の見込み面１１ａ，１３ａと開口部Ｈに設けた防水シート材２０との間に止水材３０を配設するようにしている。
【００３３】
開口部Ｈに枠体１０を設置した後においては、上述した防水シート材２０の室内側に位置する延在端部が内周側に折り返され、それぞれが釘ヒレ部１１ｂ，１２ｂ，１３ｂを覆った状態に保持される。なお、この釘ヒレ部１１ｂ，１２ｂ，１３ｂは、その後に額縁Ｇによって覆われた状態となり、外部から視認されることはない。
【００３４】
躯体Ｂの外表面Ｂｄにおいて開口部Ｈの上縁となる部分には、上部水切り部材４０が配設してある。上部水切り部材４０は、アルミニウム合金等の金属によって成形した押し出し形材であり、基板部４１及び上枠カバー部４２を有している。基板部４１は、矩形の板状を成すもので、上枠１１の長手方向に沿った寸法とほぼ同じ長さに形成してある。上枠カバー部４２は、基板部４１の一側縁部から屈曲するように延在した後、基端部から離隔する方向に向けて漸次湾曲するように延在した部分である。
【００３５】
この上部水切り部材４０は、基板部４１を介して躯体ＢにネジＪを螺合することにより、上枠カバー部４２が開口部Ｈの上縁部から室外に向けて突出する状態で躯体Ｂに取り付けてある。躯体Ｂに取り付けられた上部水切り部材４０の上枠カバー部４２は、上枠１１において躯体Ｂから突出した延在端部の上面及び室外に臨む見付け面１１ｄを覆った状態となる。上枠カバー部４２と上枠１１の室外に臨む見付け面１１ｄと間には、上枠止水材５０が設けてある。上枠止水材５０は、上述した止水材３０と同様、止水スポンジ等のように弾性及び止水性を有したもので、上部水切り部材４０の全長にわたる部位に配設してある。上部水切り部材４０の基板部４１は、躯体Ｂの外表面Ｂｄにおいて開口部Ｈの上縁となる部分を覆う防水シート材２０を越えて上方に延在している。基板部４１の室外に臨む表面には、躯体Ｂの外表面Ｂｄまでの間にわたって防水テープ６０が貼り付けてある。防水テープ６０は、防水性を有した帯状のシート材であり、基板部４１の上縁と躯体Ｂの外表面Ｂｄとの隙間を覆うように設けてある。
【００３６】
上部水切り部材４０の両端部には、それぞれ端部キャップ（通路構成部材）７０が装着してある。端部キャップ７０は、図１２に示すように、上枠カバー部４２の両端開口を閉塞するためのものである。本実施の形態では、取付板部７１、カバー重合部７２、閉塞板部７３及び通路構成部７４とを一体に成形した端部キャップ７０を適用している。取付板部７１は、基板部４１に沿って延在する平板状部分である。カバー重合部７２は、取付板部７１を基板部４１の延長となる位置に配置した場合に上枠カバー部４２の端部外周部を覆うことのできる形状に構成した部分である。閉塞板部７３は、カバー重合部７２を上枠カバー部４２の端部外周部に重ね合わせた場合に、上枠カバー部４２の端面開口を覆うことのできる平板状部分である。通路構成部７４は、閉塞板部７３において取付板部７１に近接した部分から取付板部７１に沿って突出した中空の箱状を成す部分であり、下面及び上枠カバー部４２の端面開口に対応する部位にのみ開口している。図からも明らかなように、通路構成部７４の下面に設けた開口７４ａは、上枠１１の外周側となる見込み面１１ａ、つまり上枠１１の上面１１ａよりも下方に位置している。また通路構成部７４の見込み方向に沿った寸法７０ｗは、通気層Ｄの幅Ｄｗよりも小さい値に設定してある。
【００３７】
上述の端部キャップ７０は、上部水切り部材４０の端部に装着した場合、閉塞板部７３が縦枠１３の外周側となる見込み面１３ａに対向して当接するとともに、通路構成部７４の室内に臨む見付け面７４ｂが止水材３０に当接するとともに、躯体Ｂの外表面Ｂｄにおいて開口部Ｈの側縁となる部分を覆う防水シート材２０の表面に当接している。
【００３８】
上部水切り部材４０及び端部キャップ７０を取り付けた後の段階で、上述した外壁材Ｃが外装シート材Ｂｃを覆うように設けられる。外壁材Ｃに設けた窓孔Ｃａの内表面と上部水切り部材４０との間の隙間及び窓孔Ｃａの内表面と端部キャップ７０との間の隙間は、シール材８０を充填することによって密閉される。このとき、上部水切り部材４０と外壁材Ｃとの間の適宜箇所には、躯体Ｂと外壁材Ｃとの間に構成される通気層Ｄを外部に連通させるための連通口８１を確保するようにしている。連通口８１としては、予め連通口８１を構成するための部品を配置した状態でシール材８０を充填するようにしても良いし、シール材８０を不連続に充填することによって構成しても良い。縦枠１３の外周側となる見込み面１３ａとの間の隙間は、シール材８０を充填することによってその全長が密閉される。外壁材Ｃと下枠１２との間においては、下枠１２の外周側となる見込み面に下部水切り部材９０が装着してあり、下部水切り部材９０の下面と窓孔Ｃａの内表面との間の隙間全長がシール材８０を充填することによって密閉される。端部キャップ７０に設けた通路構成部７４は、通気層Ｄよりも見込み方向に沿った寸法が小さいため、外壁材Ｃに当接することなく通気層Ｄの内部に配置されることになる。
【００３９】
上記のように構成した防水構造においては、躯体Ｂの外表面Ｂｄにおいて開口部Ｈの上縁となる部位から外壁材Ｃの外部に至る部分に上部水切り部材４０を設けるようにしているため、通気層Ｄを通過する雨水等の水が躯体Ｂと上枠１１との間を経て室内側へ浸入する事態を招来するおそれがない。通気層Ｄにおいて上部水切り部材４０の上面に到達した水は、連通口８１を通じて外部に排出され、あるいは上部水切り部材４０の両端から下方に排出されることになる。また、開口部Ｈの内表面Ｈａに防水シート材２０を設けるとともに、この防水シート材２０と縦枠１３の外周側となる見込み面１３ａとの間の全長に止水材３０を設けるようにしているため、通気層Ｄを通過する水が止水材３０を通過して室内側に至る事態を招来するおそれがない。これらの結果、外周側の見込み面１１ａ，１２ａ，１３ａに見付け方向に沿った釘打ちフィン等の突出部分を有していない枠体１０に対しても、躯体Ｂとの間に十分な防水性を確保することができる。これにより、防水性を損なうことなく躯体Ｂの開口部Ｈに対して任意の見込み位置に枠体１０を設置することが可能となる。
【００４０】
しかも、上枠１１の上面１１ａとこれに対向する防水シート材２０との間にも止水材３０を延在させるようにしているため、仮に、上枠１１の上面と上部水切り部材４０との間の空間に水が浸入したとしても、止水材３０によって室内側への浸入が抑制される。
【００４１】
さらに、この防水構造では、枠体１０と開口部Ｈの内表面Ｈａとの間の隙間において止水材３０よりも室内側となる部分が通路構成部７４によって通気層Ｄと連通された状態となる。すなわち、通路構成部７４は、下端が上枠１１の上面１１ａよりも下方において通気層Ｄに開口する一方、上端が上枠１１の上面１１ａと上部水切り部材４０との間の空間に開口したものである。上枠１１の上面１１ａとこれに対向する防水シート材２０との間に設けた止水材３０は、互いの延在端部の間に隙間を確保するようにしている。このため、止水材３０の間の隙間を通じて止水材３０よりも室内側となる部分と、通気層Ｄとが連通され、互いの間に圧力差が生じない状態となる。これにより、室外において風雨が強くなった場合にも圧力差に起因して室内側へ水が浸入するおそれがない。
【００４２】
なお、上述した実施の形態では、枠体１０として樹脂によって成形した押し出し形材からなるものを適用したが、必ずしも樹脂によって成形したものである必要はなく、アルミニウム合金等の金属によって成形した枠体と躯体との間に対しても同様に適用することが可能である。また、上枠１１、下枠１２及び左右の縦枠１３が同じ断面形状を有したものを例示しているが、必ずしも上枠、下枠及び縦枠が同じ断面形状を有している必要はない。さらに、躯体Ｂの室外に臨む外表面Ｂｄに外装シート材Ｂｃが設けられたものを例示しているが、必ずしもこれに限定されない。
【００４３】
また、上述した実施の形態では、上部水切り部材４０に通路構成部７４を設けるとともに、上枠１１と躯体Ｂとの間において止水材３０に隙間を設けるようにしているが、本発明は必ずしもこれに限定されない。なお、通路構成部７４を設ける場合に上述した実施の形態では、上部水切り部材４０の両端部に設けるようにしているが、少なくとも一方にあれば十分である。また、通路構成部７４が、躯体Ｂの外表面Ｂｄにおいて開口部Ｈの側縁となる部分の防水シート材２０に当接し、かつ室内に臨む部位に止水材３０が当接するように構成しているため、室外側から室内側にピンホールが生じる等の問題を招来するおそれがなく、防水性の点で有利となる。しかしながら、本発明は必ずしもこれに限定されない。
【符号の説明】
【００４４】
１０  枠体、１１  上枠、１１ａ  上枠の見込み面（上面）、１１ｄ  見付け面、１２  下枠、１２ａ  下枠の見込み面、１３  縦枠、１３ａ  縦枠の見込み面、２０  防水シート材、３０  止水材、４０  上部水切り部材、５０  上枠止水材、６０  防水テープ、７０  端部キャップ、７４  通路構成部、７４ａ  開口、７４ｂ  見付け面、８０  シール材、８１  連通口、Ｂ  躯体、Ｂｄ  外表面、Ｃ  外壁材、Ｄ  通気層、Ｈ  開口部、Ｈａ  内表面
【図１】
2018104973.tif 000003
【図２】
2018104973.tif 000004
【図３】
2018104973.tif 000005
【図４】
2018104973.tif 000006
【図５】
2018104973.tif 000007
【図６】
2018104973.tif 000008
【図７】
2018104973.tif 000009
【図８】
2018104973.tif 000010
【図９】
2018104973.tif 000011
【図１０】
2018104973.tif 000012
【図１１】
2018104973.tif 000013
【図１２】
2018104973.tif 000014